(57)【要約】      （修正有）【課題】洗浄作業など保守管理が便利な上、排水枡製品を用いることが不要であり、施工が簡易で工期短縮でき、かつコスト低減も可能な、水封管セットを提供する。【解決手段】水封管セット３０は、第一管部材１０と、第一管部材１０との間で相互に連結可能な第二管部材２０とからなるジョイント式とする。両管部材１０、２０にはそれぞれ、これらを相互に着脱可能に連結するための連結部１Ｋ、２Ｊが設け、また第一管部材１０には、管部１３の周囲に竪坑底部への設置用のプレート部１５が設けて構成する。【選択図】図１
0003169668.tif 000002
【実用新案登録請求の範囲】
【請求項１】
第一管部材と、該第一管部材との間で相互に連結可能な第二管部材とからなるジョイント式の水封管セットであって、両管部材にはこれらを相互に着脱可能に連結するための連結部が設けられており、該第一管部材には竪坑底部への設置用のプレート部が設けられている、水封管セット。
【請求項２】
前記各管部材の連結部はネジ構造を用いたものであることを特徴とする、請求項１に記載の水封管セット。
【請求項３】
前記第一管部材には、竪坑底部への固定用のアンカー部が設けられていることを特徴とする、請求項１または２に記載の水封管セット。
【請求項４】
連結された状態の前記第一管部材および第二管部材に被せて水封構造を形成するための被覆部材を備えることを特徴とする、請求項１ないし３のいずれかに記載の水封管セット。
【請求項５】
前記被覆部材は前記竪坑底部に載置して用いる卓状構造であることを特徴とする、請求項４に記載の水封管セット。
【請求項６】
請求項１ないし５のいずれかに記載の水封管セットを用いて形成される水封用構造であって、竪坑底部に設けられた連結された状態の該水封管セットと、該水封管セットに係るプレート部周囲に水密状態で形成された防水性床部とからなることを特徴とする、水封用構造。
【請求項７】
前記防水性床部は水密用充填剤により形成されていることを特徴とする、請求項６に記載の水封用構造。
【考案の詳細な説明】
【技術分野】
【０００１】
本考案は水封管セットおよび水封用構造に係り、特に、洗浄作業など保守管理が便利な上、施工が簡易かつ安価な、水封管セットおよび水封用構造に関するものである。
【背景技術】
【０００２】
従来、水封ドレーンに関しては、複数の技術的提案がなされている。たとえば後掲特許文献１に開示されたものは、排水路の空間と床上の空間の分離の確実性を高めるために、排水口を有する排水枡と、排水口を取り囲む溝を有する水封槽と、水封カップとを備えた構成とし、水封カップは側壁および上部壁を有して側壁が溝に挿入されて水封槽とともに水封を形成可能なようにする、というものである。
【先行技術文献】
【特許文献】
【０００３】
【特許文献１】特開２００７−１０７３０７号公報「排水構造」
【考案の概要】
【考案が解決しようとする課題】
【０００４】
しかし、特許文献のものも含め従来技術には、次のような問題があった。すなわち、ドレーンを構成する水封管の部分を排水桝と一体に形成する場合はもちろんのこと、水封管を別体としてこれを排水桝に嵌設する場合でも、水封管が汚れた場合の洗浄には一定の労力や時間がかかる上、得られる洗浄効果には限界がある。
【０００５】
かかる問題を解決するため、本願出願人は先に、「水封管および水封式ドレーン構造」（実用新案登録第３１５３６２８号）を考案し開示した。つまり、ジョイント式水封管と、これが取り付けられた排水枡と、ジョイント式水封管に被せて水封構造を形成するための卓状の被覆部材とから構成する水封式ドレーン構造である。これにより水封管の洗浄作業が容易になり、保守管理が大いに便利になった。
【０００６】
ところで、本願出願人による先の考案も含め従来の水封ドレーンにおいては、金属製などの排水枡を用い、適切な水密用充填材等を用いながら、予め床部に穿設された排水枡設置用の竪坑に排水枡を嵌設していた。敢えて格別の排水枡を用いずに、たとえば水封ドレーンの構成に必須である水封管のみを用いた方法があれば、施工は一層簡易になり、工期短縮、コスト低減することができる。
【０００７】
本年３月に発生した東日本大震災により壊滅的な打撃を受けた沿岸部においては今後、数年〜１０年レベルでの復興・復旧事業が展開される。かかる状況下、できる限り早く、かつ安価で、施工時の作業性に優れた水封ドレーンの提供が強く求められている。
【０００８】
そこで本考案が解決しようとする課題は、これら従来技術の問題点を除き、洗浄作業など保守管理が便利な上、排水枡製品を用いることが不要であり、施工が簡易で工期短縮でき、かつコスト低減も可能な、水封管セットおよび水封用構造を提供することである。
【課題を解決するための手段】
【０００９】
本願考案者は上記課題について検討した結果、排水枡設置用の竪坑に、固定設置するための部位を備えた水封管を構成し、これを用いることによって解決できることに想到し、本考案に至った。すなわち、上記課題を解決するための手段として本願で実用新案登録請求される考案、もしくは少なくとも開示される考案は、以下の通りである。
【００１０】
（１）  第一管部材と、該第一管部材との間で相互に連結可能な第二管部材とからなるジョイント式の水封管セットであって、両管部材にはこれらを相互に着脱可能に連結するための連結部が設けられており、該第一管部材には竪坑底部への設置用のプレート部が設けられている、水封管セット。
（２）  前記各管部材の連結部はネジ構造を用いたものであることを特徴とする、（１）に記載の水封管セット。
（３）  前記第一管部材には、竪坑底部への固定用のアンカー部が設けられていることを特徴とする、（１）または（２）に記載の水封管セット。
【００１１】
（４）  連結された状態の前記第一管部材および第二管部材に被せて水封構造を形成するための被覆部材を備えることを特徴とする、（１）ないし（３）のいずれかに記載の水封管セット。
（５）  前記被覆部材は前記竪坑底部に載置して用いる卓状構造であることを特徴とする、（４）に記載の水封管セット。
（６）  （１）ないし（５）のいずれかに記載の水封管セットを用いて形成される水封用構造であって、竪坑底部に設けられた連結された状態の該水封管セットと、該水封管セットに係るプレート部周囲に水密状態で形成された防水性床部とからなることを特徴とする、水封用構造。
（７）  前記防水性床部は水密用充填剤により形成されていることを特徴とする、（６）に記載の水封用構造。
【考案の効果】
【００１２】
本考案の水封管セットおよび水封用構造は上述のように構成されるため、これによれば、水封管の洗浄作業など保守管理が便利になる。つまり、ドレーンにおける洗浄作業等保守管理作業の少なくとも一部について、作業労力の軽減および作業時間の短縮を図ることができ、作業効率を向上することができる。また本考案によれば、ドレーンにおける洗浄作業において、一層確実な洗浄効果を得ることができる。また、ジョイント式の水封管でありながら水密効果は充分であり、充分な水封ドレーンを提供することができる。
【００１３】
さらに本考案の水封管セットおよび水封用構造によれば、排水ドレーンの施工において、別途、金属製等の排水枡製品を用いることが不要である。そして施工が簡易で工期短縮することができ、コストも低減することができ、導入も容易である。したがって、東日本大震災後の復興・復旧事業においても、迅速かつ安価で、作業効率に優れた水封ドレーンの提供を実現することができる。
【図面の簡単な説明】
【００１４】
【図１】本考案の水封管セットの基本構成を示す断面図である。
【図２】本考案の水封管セットの構成例を示す断面図である。
【図３】本考案の水封用構造の構成を示す断面図である。また、
【図４】図３に示した水封用構造における要部の構成を示す断面図である。
【図５Ａ】実施例水封管セットの構成を示す写真である。
【図５Ｂ】実施例において水封管を形成した状態を示す写真である。
【図５Ｃ】実施例において被覆部材を含めた水封管セットの水封構造形成状態を示す写真図である。
【考案を実施するための形態】
【００１５】
以下、図面により本考案を詳細に説明する。
図１は、本考案の水封管セットの基本構成を示す断面図である。図示するように本水封管セット３０は、第一管部材１０と、第一管部材１０との間で相互に連結可能な第二管部材２０とからなるジョイント式であり、両管部材１０、２０にはそれぞれ、これらを相互に着脱可能に連結するための連結部１Ｋ、２Ｊが設けられており、また第一管部材１０には、管部１３の周囲に竪坑底部への設置用のプレート部１５が設けられていることを、主たる構成とする。
【００１６】
かかる構成により本水封管セット３０においては、第一管部材１０と第二管部材２０とは、それぞれの連結部１Ｋおよび２Ｊにおける連結によって連結されて、水封管が形成される。そして第一管部材１０は、そのプレート部１５が竪坑底部に敷設されるように載置されて、水封ドレーン用の竪坑底部に嵌め込まれる。プレート部１５は適宜の方法にて竪坑底部に固定され、これによって第一管部材１０の竪坑底部への設置状態が形成される。
【００１７】
なお、連結による水封管の形成と、プレート部１５による竪坑底部への設置は、どちらが先になされてもよい。しかしながら、先に連結作業を行う方が、施工作業性上好ましい。またプレート部１５は、これを竪坑底部に隙間なく敷設でき、かつ後述する被覆部材を安定的に載置できるよう、上下面とも平面であればよい。その平面形状は特に限定されない。
【００１８】
図示するように本考案水封管セットでは、各管部材１０、２０の連結部１Ｋ、２Ｊはネジ構造を用いたものとすることができる。かかる構成によって、両管部材１０および２０の連結を簡易かつ確実に行うことができる。もっとも本考案はこれに限定されず、たとえば接着剤を用いた両管部材の連結や、磁石の磁力を用いた連結等も、本考案からは除外されない。しかしながら、図示するねじ構造によるものが最も簡易であり、好ましい。
【００１９】
図２は、本考案の水封管セットの構成例を示す断面図である。図示するように本例の水封管セット２３０は、図１により説明した構成要素に加え、第一管部材２１０に、竪坑底部への固定用のアンカー部２１６が設けられていることを、特徴的な構成とする。アンカー部２１６は、これによって第一管部材２１０が確実に固定されるよう、その先端が鈎状などの抜けにくい構造を備えたものとする。
【００２０】
なお図示するように、竪坑底部への固定用の構造としては、第二アンカー部２１８をさらに設ける構成としてもよい。また、アンカー部２１６や第二アンカー部２１８は、図示するようにそれぞれ複数設けられる。設置する数は特に限定されず、第一管部材２１０を確実に竪坑底部に固定するのに充分な数が設けられていればよい。たとえばプレート部２１５が正方形の平面形状である場合は、四つの角部それぞれにアンカー部２１６を設ける（計４個）構成とすれば、固定には充分である。
【００２１】
アンカー部２１６を設けることにより、第一管部材２１０を確実に竪坑底部に固定することができ、したがって水封管を確実に竪坑底部に固定することができ、堅固な水封ドレーンを構成することができる。さらに第二アンカー部２１８を設けた場合は、固定作用をさらに強化することができる。
【００２２】
図示するように本考案では、連結された状態の第一管部材２１０および第二管部材２２０からなる水封管に被せて水封構造を形成するための被覆部材２４０を備えて、水封管セット２５０とすることもできる。被覆部材２４０は特に、竪坑底部に載置して用いる卓状構造とすることができる。かかる形状によって、水封管を充分被覆して、水封構造を形成することができるからである。
【００２３】
図３は、本考案の水封用構造の構成を示す断面図である。また、
図４は、図３に示した水封用構造における要部の構成を示す断面図である。これらに図示するように、第一管部材３１０および第二管部材３２０が連結された状態で、かつプレート部３１５を用いた敷設により竪坑Ｐの底部に設置された水封管セットと、プレート部３１５周囲に水密状態で形成された防水性床部３９０とから、本考案の水封用構造は構成される。防水性床部３９０は、水密用充填剤により形成することができる。
【００２４】
つまり本考案の水封用構造は、従来のように排水枡を別途用いることなく、水封管セットと水密用充填剤のみによって、構成することができる。なお水密用充填材としては、合成樹脂、モルタル等、従来公知のものを適宜選択して用いることができる。たとえば、硬質伸縮性合成樹脂による水密用充填材は好適に用いることができる。特に望ましい水密用充填剤の具体例としては、Ｍ・Ｕ・Ｇハード（（株）エービーシージャパン東日本製）がある。
【００２５】
なお、防水性床部３９０とプレート部３１５との間を塞ぐフロアシールＳとしては、たとえば水膨張性の水密用部材などを好適に用いることができる。これは、ゴム弾性による止水効果と、接した水を化学的に内部に取り込んで自己体積膨張して空隙を自己充填する止水効果のあるシール材である。
【実施例】
【００２６】
以下、本考案の実施例を説明するが、本考案がこの実施例に限定されるものではない。
＜実施例  水封管セット＞
ネジ構造のジョイント式水封管を用い水封管セットを製作した。
図５Ａは、実施例水封管セットの構成を示す写真である。また、
図５Ｂは、実施例において水封管を形成した状態を示す写真、
図５Ｃは、実施例において被覆部材を含めた水封管セットの水封構造形成状態を示す写真図である。これらに図示した水封管セットは、竪坑に簡単に設置することができ、設置後の第二管部材５２０の取り外しや再ねじ込みも容易に行うことができた。もちろん、水封構造の形成も全く支障なく行うことができた。
【産業上の利用可能性】
【００２７】
本考案の水封管セットおよび水封用構造によれば、水封管の洗浄作業など保守管理が便利で、排水ドレーンの施工において排水枡を別途用いる必要がなく、施工が簡易で作業性に優れ、コストも低減することができる。したがって、建設産業および関連産業分野において利用性が高い考案であり、東日本大震災後の復興・復旧事業においても、利用価値が非常に高い考案である。
【符号の説明】
【００２８】
１Ｋ、２１Ｋ、３１Ｋ、５１Ｋ…連結部（第一管部材側）
２Ｊ、２２Ｊ、３２Ｊ、５２Ｊ…連結部（第二管部材側）
１０、２１０、３１０、５１０…第一管部材
１３、２１３、３１３、５１３…管部
１５、２１５、３１５、５１５…プレート部
２０、２２０、３２０、５２０…第二管部材
３０、２３０、２５０、５３０、５５０…水封管セット
２１６、３１６…アンカー部
２１８…第二アンカー部
２４０、３４０、５４０…被覆部材
３９０…防水性床部
Ｆ…水封構造
Ｇ…竪坑穿設場所
Ｐ…竪坑
Ｓ…フロアシール
Ｗ…水
【図１】
0003169668.tif 000003
【図２】
0003169668.tif 000004
【図３】
0003169668.tif 000005
【図４】
0003169668.tif 000006
【図５Ａ】
0003169668.tif 000007
【図５Ｂ】
0003169668.tif 000008
【図５Ｃ】
0003169668.tif 000009